(57)【要約】【課題】構成部材を支持した支持枠部材を連結する簡単な操作で構成部材の連結ができ、年少者にも玩具体の組み立て分解を楽しむことができるとともに、保管にも優れた組み立て玩具を提供すること。【解決手段】組み立て玩具を複数の構成部材２から構成される玩具体１と、該構成部材２をそれぞれ支持する支持枠部材３とで構成し、上記構成部材２と上記支持枠部材３とにはそれぞれ水平方向に係脱可能な係合部４、５を設け、上記支持枠部材３には支持枠部材同士を連結する嵌合部６を、上記構成部材２には構成部材同士を連結する嵌合部７を設け、上記構成部材２を上記支持枠部材３に支持させた状態で支持枠部材３同士を連結すると上記構成部材２は嵌合部７を介して連結されて玩具体１を形成し、連結した支持枠部材２に対し玩具体１を着脱できるようにした。【選択図】図１
2008173243.tif 000002
【特許請求の範囲】
【請求項１】
以下の要件を備えることを特徴とする組み立て玩具。
（イ）上記組み立て玩具は複数の構成部材から構成される玩具体と、該構成部材をそれぞれ支持する支持枠部材とからなること
（ロ）上記構成部材と上記支持枠部材とにはそれぞれ係合部を設け、該係合部は水平方向に係脱可能に形成されていること
（ハ）上記支持枠部材には嵌合部を設け、支持枠部材同士は該嵌合部を介して垂直方向に連結、分離可能に形成されていること
（ニ）上記構成部材には嵌合部を設け、構成部材同士は該嵌合部を介して垂直方向に連結、分離可能に形成されていること
（ホ）上記構成部材を上記支持枠部材に支持させた状態で支持枠部材同士の嵌合部を介して連結すると上記構成部材は嵌合部を介して連結され玩具体を形成すること
（へ）上記玩具体と連結した支持枠部材とは水平方向に係脱できること
（ト）上記玩具体を支持した状態で支持枠部材の連結を解除すると、玩具体は構成部材に分離され、分離した状態でそれぞれの支持枠部材に支持されていること
【請求項２】
以下の要件を備えることを特徴とする請求項１記載の組み立て玩具。
（イ）前記玩具体は走行玩具で、前記構成部材は走行玩具の前輪車体部、後輪車体部及びボディ部であること
（ロ）上記前輪車体部と後輪車体部とには互いに連結する連結部を設け、上記ボディ部には上記前輪車体部と後輪車体部とにそれぞれ連結する連結部を設けたこと
【請求項３】
前記支持枠部材にはそれぞれ支持する構成部材の情報を表示したシールを貼着した、請求項１記載の組み立て玩具。
【発明の詳細な説明】
【技術分野】
【０００１】
本発明は、組み立て玩具、詳しくは玩具体を構成する構成部材を枠部材に取り付けた状態で枠部材を上下に重ね合わせると、構成部材同士が連結して玩具体を形成するとともに、その玩具体は枠部材から分離することができる組み立て玩具に関するものである。
【背景技術】
【０００２】
従来、組み立て玩具として分割されたシャーシ部の組み合わせを変えて連結することにより走行性能の向上を図ることができ且つ連結形成したシャーシ部にボディ部を取りつけることができる走行玩具が本出願人から提案されている（例えば、特許文献１）。この走行玩具は、シャーシ部を前分割シャーシと後分割シャーシとに分割し、前分割シャーシの前部下面に嵌合突部を、前部上面にはボディ部を取りつける取付軸を形成するとともに後部には嵌合孔し、後分割シャーシに形成された嵌合突部に嵌合することによって前分割シャーシと後分割シャーシとを連結できるようにしたものである。
【特許文献１】登録実用新案第３０３７９０１号公報
【発明の開示】
【発明が解決しようとする課題】
【０００３】
本発明が解決しようとする問題点は、上述の走行玩具は分割されたシャーシ部を連結し、連結したシャーシ部にボディ部を取り付けてオリジナリティに溢れた走行玩具に改造することができることを目的としたものであるが、部材がバラバラになっていると連結する順番や仕方が判りくい点があり、分割されたシャーシー部、ボディ部はばらばらな状態で保管することになり部材の管理がしにくい点などの問題もあり年少者には取り扱いが難しくなる恐れがあった。
【０００４】
本発明は、上記問題点を解決し、構成部材を支持枠部材に取り付けておけば、支持枠部材を連結する簡単な操作で構成部材の連結ができ、年少者にも玩具体の組み立て分解を楽しむことができるとともに、保管にも優れた組み立て玩具を提供することを課題とする。
【課題を解決するための手段】
【０００５】
前記課題を解決するために本発明に係る組み立て玩具は、以下の要件を備えることを特徴とする。
（イ）上記組み立て玩具は複数の構成部材から構成される玩具体と、該構成部材をそれぞれ支持する支持枠部材とからなること
（ロ）上記構成部材と上記支持枠部材とにはそれぞれ係合部を設け、該係合部は水平方向に係脱可能に形成されていること
（ハ）上記支持枠部材には嵌合部を設け、支持枠部材同士は該嵌合部を介して垂直方向に着脱可能に形成されていること
（ニ）上記構成部材には嵌合部を設け、構成部材同士は該嵌合部を介して垂直方向に着脱可能に形成されていること
（ホ）上記構成部材を上記支持枠部材に支持させた状態で支持枠部材同士の嵌合部を嵌合させて連結すると上記構成部材は嵌合部が嵌合して連結され玩具体を形成すること
（へ）上記玩具体と連結した支持枠部材とは水平方向に係脱できること
（ト）上記玩具体を支持した状態で支持枠部材の連結を解除すると、玩具体は構成部材に分離され、分離した状態でそれぞれの支持枠部材に支持されていること
なお、前記組み立て玩具は、以下の要件を備えるようにしてもよい。
（イ）前記玩具体は走行玩具で、前記構成部材は走行玩具の前輪車体部、後輪車体部及びボディ部であること
（ロ）上記前輪車体部と後輪車体部とには互いに連結する連結部を設け、上記ボディ部には上記前輪車体部と後輪車体部とにそれぞれ連結する連結部を設けたこと
また、前記支持枠部材にはそれぞれ支持する構成部材の情報を表示し、その情報から構成部材が判るようにしてもよい。
【発明の効果】
【０００６】
請求項１の発明によれば、支持枠部材に構成部材を支持させ、構成部材を支持した状態の支持枠部材を連結することにより、構成部材同士が自動的に連結されて玩具体が形成され、玩具体は連結した支持枠部材から分離することができるし、玩具体を連結した支持枠部材に取り付け支持枠部材を分離することにより玩具体は支持枠部材に支持された構成部材に分離できるので、構成部材の連結分離が機械的にでき年少者にも玩具体の形成、分解が容易にできる画期的な組み立て玩具を提供することができる。
【０００７】
請求項２の発明によれば、構成部材を前輪車体部、後輪車体部、ボディ部で構成することにより、走行玩具を形成することができる。
【０００８】
請求項３の発明によれば、玩具体を構成する構成部材の情報が構成部材を支持する支持枠部材に表示されているので、その情報を見ながら構成部材を組み合わせることができユーザーの好みの組合せでオリジナリティのある玩具体を形成することができる。
【発明を実施するための最良の形態】
【０００９】
図１は本発明に係る組み立て玩具の一例を示し、この組み立て玩具は複数の構成部材２を連結して形成される玩具体１と、上記構成部材２を支持する支持枠部材３とから構成されているもので、上記玩具体１は前輪車体部２ａ、後輪車体部２ｂ及びボディ部２ｃの３つの構成部材で走行玩具を形成している。
【００１０】
一方、支持枠部材３は上記前輪車体部２ａを支持する下枠部材３ａ、上記後輪車体部２ｂを支持する中枠部材３ｂと上記ボディ部２ｃを支持する上枠部材３ｃの３つの支持枠部材で構成され、上記構成部材２と支持枠部材３とにはそれぞれ係脱可能な係合部４、５が形成され、この係合部４、５による係合は支持枠部材３に対して構成部材２を水平方向にスライドさせることにより係脱することができるようになっている。
【００１１】
そして、支持枠部材３同士、構成部材２同士にはそれぞれ後述する嵌合部６、７が形成され、支持枠部材３に構成部材２を係合させた状態で、支持枠部材３を垂直方向に重ね合わせると支持枠部材３同士は嵌合部６を介して連結されるとともに、構成部材２も嵌合部７を介して連結され、連結された構成部材２は玩具体１を形成するようになっている。
【００１２】
下枠部材３ａは中央が開口した長方形状の枠板で構成され、上面の４隅には中枠部材３ｂと連結する嵌合部６（嵌合凹部６ａ）が形成され、両側部と前部とからは腕部１０、１１が張り出して前輪車体部２ａを保持する保持板１２を支持している。この保持板１２の上面にはＴ字状に膨出して前輪車体部２ａの係合部４ａに係合する係合部５ａが形成されている。
【００１３】
そして、上記下枠部材の表面には、支持する前輪車体部の情報（構成や仕様）が表示されたシール１３が貼付されている。このシール１３に印刷されている情報は例えば、「フロントパーツ＆タイヤ」、「長距離レース対応」、「カーブコース性能ＵＰ」などの情報である。
【００１４】
中枠部材３ｂは中央が開口した長方形状の枠板で構成され、底面の４隅には上記下枠部材３ａの嵌合凹部６ａに嵌合する嵌合部６（嵌合凸部６ｂ）が形成され、上面の４隅には上枠部材３ｃと連結する嵌合部６（嵌合凹部６ｃ）が形成され、両側部と後部とからは腕部１５、１６が張り出して後輪車体部２ｂを保持する保持板１７を支持している。この保持板１７の上面にはＴ字状に膨出して後輪車体部２ｂの係合部４ｂに係合する係合部５ｂが形成されている。
【００１５】
そして、上記中枠部材の表面には、支持する後輪車体部の情報（構成や仕様）が表示されたシール１３が貼付されている。このシール１３に印刷されている情報は例えば、「リアパーツ＆エンジン」、「長距離レース対応」、「スピードタイプエンジン」などの情報である。
【００１６】
上枠部材３ｃは中央が開口した長方形状の枠板で構成され、底面の４隅には上記中枠部材３ｂの嵌合凹部６ｃに嵌合する嵌合部６（嵌合凸部６ｄ）が形成され、両側部と後部とからは内方に向かってボディ部２ｃの係合部４ｃ、４ｄに係合する係合部５ｃ、５ｄが突出して形成されている。
【００１７】
そして、上記上枠部材の表面には、支持するボディ部の情報（構成や仕様）が表示されたシール１３が貼付されている。このシール１３に印刷されている情報は例えば、「カウル」、「中距離レース型」、「空気抵抗に優れる」などの情報である。
【００１８】
前輪車体部２ａは、図３（ａ）に示すように、前車台部２０に前輪２１の車軸を軸支する軸支部２２が形成され、軸支部２２の後方には、後述する後輪車体部２ｂの後車台部３０の底面に形成された嵌合部（嵌合凸部）７ｅに嵌合する嵌合部（嵌合孔）７ａが形成され、軸支部２２の前方には、後述するボディ部２ｃに形成された嵌合部７ｈに嵌合する嵌合部（嵌合凸部）７ｂと、下枠部材３ａの係合部５ａに係合する係合部４ａとが形成されている。この係合部４ａは前方が狭く、後方が広い平面視Ｔ字状に形成された開口部で構成され、下枠部材３ａに形成された係合部５ａを開口部の広い部分から突出させた状態で後方にスライドさせて係合部５ａの張り出しが開口部の狭い部分に対応すると、図３（ｂ）に示すように、前輪車体部２ａを下枠部材３ａに保持させることができる。
【００１９】
後輪車体部２ｂは、図４（ａ）に示すように、後車台部３０にゼンマイユニット３１とこのゼンマイユニット３１で駆動される駆動輪３２とが取り付けられ、ゼンマイユニット３１の後方と底面中央とには中枠部材３ｂの係合部５ｂに係合する係合部４ｂが形成され、係合部４ｂを中枠部材３ｂの係合部５ｂに対応させた状態で後方にスライド移動させることにより、図４（ｂ）に示すように、後輪車体部２ｂを中枠部材３ｂに保持させることができる。なお、上記ゼンマイユニットは、車輪を床等に接触したまま後退させて、駆動輪３２を逆回転させる所謂プルバック操作をすると、内装したゼンマイが巻き上げられ、手を離すとゼンマイの巻き戻り力で上記駆動輪３２が正回転して走行玩具が走行するように構成されている公知のゼンマイユニットである。
【００２０】
そして、後車台部３０にはゼンマイユニット３１の両側に、後述するボディ部２ｃの嵌合部７ｆ、７ｇに嵌合する嵌合部（嵌合凸部）７ｃ、７ｄが形成されるとともに、底面前部には上記前輪車体部２ａの前車台部２０に形成された嵌合部（嵌合孔）７ａに嵌合する嵌合部（嵌合凸部）７ｅが形成されている。
【００２１】
ボディ部２ｃは、図５（ａ）に示すように、両側部には上枠部材３ｃの係合部５ｃに係合する係合部４ｃが形成され、後部には上記上枠部材３ｃの係合部５ｄに係合する係合部４ｄが形成され、係合部４ｃを係合部５ｃに、係合部４ｄを係合部５ｄに対応させた状態でボディ部２ｃを後方にスライド移動させることにより、図５（ｂ）に示すように、ボディ部２ｃを上枠部材３ｃに保持させることができる。
【００２２】
なお、ボディ部２ｃの両側部と後部とには上記係合部４ｃ、４ｄと一体で後車台部３０に形成された嵌合部（嵌合凸部）７ｃ、７ｄに嵌合する筒状の嵌合部７ｆ、７ｇが形成され、ボディ部２ｃの前部内側には前車台部２０に形成された嵌合部（嵌合凸部）７ｂに嵌合する筒状の嵌合部７ｈが形成されている。
【００２３】
次に、上述の構成部材２（２ａ〜２ｃ）を連結して玩具体（以下、走行玩具という）１を組み上げる状態を説明する。先ず、前輪車体部２ａを下枠部材３ａに支持させ、後輪車体部２ｂを中枠部材３ｂに支持させた状態で、図６（ａ）に示すように、中枠部材３ｂの嵌合部６ｂを下枠部材３ａの嵌合部６ａに嵌め合わせるようにして重ね合わせると、前車台部２０の嵌合孔７ａに後車台部３０の嵌合凸部７ｅが嵌合し、前輪車体部２ａと後輪車体部２ｂとは前後に連結された状態になる（図６（ｂ）参照）。
【００２４】
下枠部材３ａと中枠部材３ｂとを重ねて上下に連結したならば、図７（ａ）に示すように、ボディ部２ｃを支持した状態の上枠部材３ｃの嵌合凸部６ｄを中枠部材３ｂの嵌合凹部６ｃに嵌め合わせるようにして重ね合わせると、前車台部２０の嵌合凸部７ｂがボディ部２ｃの嵌合部７ｈに嵌合し、後車台部３０の嵌合凸部７ｃがボディ部２ｃの嵌合部７ｆに、嵌合凸部７ｄがボディ部２ｃの嵌合部７ｇにそれぞれ嵌合し、前輪車体部２ａと後輪車体部２ｂとの上にボディ部２ｃが連結されて走行玩具１が形成された状態になる（図７（ｂ）参照）。
【００２５】
全ての支持枠部材３を重ねて連結することにより、全ての構成部材２が連結されて走行玩具１が形成されたら、図８（ａ）に示すように、走行玩具１を前方に押し出すと、走行玩具１は全ての構成部材２が連結された状態で連結された支持枠部材３との係合が外れ、図８（ｂ）に示すように、走行玩具１を支持枠部材３から分離することができる。
【００２６】
分離した走行玩具１は、図９（ａ）に示すように、車輪を床等の走行面に押し付けたまま後退させて、駆動輪４を後転させてゼンマイユニットのゼンマイを巻き上げ、図９（ｂ）に示すように、手を離すとゼンマイの巻き戻り力で上記駆動輪３２が前転して走行玩具１を前進走行させることができる。
【００２７】
なお、走行玩具１を連結した状態の支持枠部材３の前側に、図８（ａ）に示すように載置した状態にし、走行玩具１を後方にスライドさせて、図７（ｂ）に示すように支持枠部材３に走行玩具１を支持させた状態に戻し、支持枠部材３同士の嵌合を解除すると、走行玩具１を構成する構成部材２同士の嵌合も解除され、それぞれ前輪車体部２ａが下枠部材３ａに支持され（図２ｂ参照）、後輪車体部２ｂが中枠部材３ｂに支持され（図３ｂ参照）、ボディ部２ｃが上枠部材３ｃに支持された状態（図４ｂ参照）にすることができ、支持枠部材２同士の嵌合を解除することにより走行玩具１を構成部材２に分離することができる。
【００２８】
構成部材２が支持枠部材３に支持された状態で保管すれば、構成部材２がごちゃごちゃになって探し出すことが難しくなることもないし、支持枠部材３には構成部材２の情報が表示されたシール１３が貼着されているので、その情報を確認しながら組み合わせて支持枠部材３を連結すれば走行特性の異なるゼンマイユニットを組み合わせて走行性能を変えることができるし、自分の好みのボディを組み合わせてオリジナリティのある走行玩具を組み立てることができる。
【図面の簡単な説明】
【００２９】
【図１】は本発明に係る組み立て玩具を構成する玩具体と支持枠部材の斜視図
【図２】上記支持枠部材の構造を説明する斜視図
【図３】（ａ）（ｂ）は前輪車体部と下枠部材及び下枠部材が前輪車体部を支持した状態を説明する斜視図
【図４】（ａ）（ｂ）は後輪車体部と中枠部材及び中枠部材が後輪車体部を支持した状態を説明する斜視図
【図５】（ａ）（ｂ）はボディ部と上枠部材及び上枠部材がボディ部を支持した状態を説明する斜視図
【図６】（ａ）（ｂ）は前輪車体部と後輪車体部とを連結する状態を説明する斜視図
【図７】（ａ）（ｂ）は連結した前輪車体部と後輪車体部とにボディ部を連結する状態を説明する斜視図
【図８】（ａ）（ｂ）は支持枠部材から玩具体を分離する状態を説明する斜視図
【図９】（ａ）（ｂ）は上記玩具体の使用状態を説明する斜視図
【符号の説明】
【００３０】
１    玩具体（走行玩具）
２    構成部材
３    支持枠部材
４    係合部
５    係合部
６    嵌合部
７    嵌合部
１３    シール
【図１】
2008173243.tif 000003
【図２】
2008173243.tif 000004
【図３】
2008173243.tif 000005
【図４】
2008173243.tif 000006
【図５】
2008173243.tif 000007
【図６】
2008173243.tif 000008
【図７】
2008173243.tif 000009
【図８】
2008173243.tif 000010
【図９】
2008173243.tif 000011